(57)【要約】【課題】色相的にはある程度距離がある色同士であっても、バランスのとれた色の組み合わせとなるよう的確にアドバイスできるカウンセリングツールを提供する。【解決手段】特定の色相座標軸に沿う帯状領域が、赤み系の素肌を示す領域Ａと、黄味系の素肌を示す領域Ｂとに分割されており、上記帯状領域と平行に延びる第２の帯状領域が、上記領域Ａの素肌の色と組み合わせて用いるのに最適な第１の色領域と、上記領域Ａ、領域Ｂのどちらの素肌の色と組み合わせて用いてもよい第２の色領域と、上記領域Ｂの素肌の色と組み合わせて用いるのに最適な第３の色領域とに分割されており、上記３つの色領域内に、互いに色の異なる複数の化粧品の色を示す色表示部２４〜２８が、それぞれの色に応じた配置で並んだ状態で表示されているカウンセリングツールである。【選択図】図１
2005074106.tif 000002
【特許請求の範囲】
【請求項１】
一端が青色で、赤みが強いほど青色側に位置し、他端が緑色で、黄味が強いほど緑色側に位置するよう設定された直線状の色相座標軸を想定し、その色相座標軸に沿う帯状領域が、赤み系の素肌を示す領域Ａと、黄味系の素肌を示す領域Ｂとに分割されており、上記帯状領域と平行に延びる第２の帯状領域が、上記領域Ａの素肌の色と組み合わせて用いるのに最適な第１の色領域と、上記領域Ａ、領域Ｂのどちらの素肌の色と組み合わせて用いてもよい第２の色領域と、上記領域Ｂの素肌の色と組み合わせて用いるのに最適な第３の色領域とに分割されており、上記３つの色領域内に、互いに色の異なる複数の化粧品の色を示す色表示部が、それぞれの色に応じた配置で並んだ状態で表示されていることを特徴とするカウンセリングツール。
【請求項２】
上記化粧品が、少なくとも、ファンデーション、アイカラー、リップカラー、フェイスカラーの４種類からなり、各化粧品ごとに、上記色相座標軸に平行に並べられている請求項１記載のカウンセリングツール。
【請求項３】
上記化粧品が、ネイルカラーである請求項１記載のカウンセリングツール。
【請求項４】
上記化粧品が、ヘアカラーである請求項１記載のカウンセリングツール。
【請求項５】
請求項１〜４のいずれか一項に記載されたカウンセリングツールの使用方法であって、カウンセリングを受ける顧客の素肌の色が、上記化粧品カウンセリングツールの領域Ａ、Ｂのいずれに属するかを特定し、領域Ａに属する場合は、第１および第２の色領域に属する色の化粧品を用いることを推奨し、領域Ｂに属する場合は、第２および第３の色領域に属する色の化粧品を用いることを推奨することを特徴とするカウンセリングツールの使用方法。
【発明の詳細な説明】
【技術分野】
【０００１】
本発明は、化粧品販売店の店員等が顧客に提示するウンセリングツールおよびその使用方法に関するものである。
【背景技術】
【０００２】
アイカラー、リップカラー、フェイスカラー等のメイクアップ化粧品は、化粧品の種類ごとに、それぞれ豊富な色が用意されており、顧客は、自分の好みで、あるいは専門の美容部員等によるカウンセリングを受けて、自分に適した色のメイクアップ化粧品を選択することができるようになっている。
【０００３】
しかしながら、メイクアップ化粧品のそれぞれの色を全くランダムに選択すると、場合によっては、色に統一感が欠け、ちぐはぐな印象になってしまうおそれがある。そこで、例えば「ピンク系のファンデーションにはパープル系のリップカラーが似合う」とか「イエロー系のファンデーションにはグリーン系のアイカラーが似合う」といった色の相性を、美容部員等が予め記憶しておき、顧客に逐次アドバイスを与えるようにしているが、ファンデーション、リップカラー、アイカラー、フェイスカラー、フェイスシャドウといった豊富なメイクアップ化粧品について、最適な色合いで組み合わせていくことを的確にアドバイスを与えることは、容易ではない。
【０００４】
そこで、メイクアップ化粧品の色見本を、素肌が赤み系の人に好ましい色系列と、素肌が黄み系の人に好ましい色系列に分けて提示することが提案されている。また、色見本を、特定の色相座標軸に沿って並べ、近い位置関係にある色同士を組み合わせると、バランスのよい仕上がりが得られるようにした化粧品推奨ツールも提案されている（特許文献１）。
【特許文献１】特開２００２−３１５６２３号公報
【発明の開示】
【発明が解決しようとする課題】
【０００５】
しかしながら、ただ色相的に近い色同士を組み合わせるだけでは、組み合わせの選択幅が狭く、調和こそとれるものの、個性に乏しいメイクアップとなりがちで、顧客が、自分の好きな色を生かしながら、印象的なメイクアップに仕上げることがむずかしいことが判明した。
【０００６】
本発明は、このような事情に鑑みなされたもので、色相的にはある程度距離がある色同士であっても、バランスのとれた色の組み合わせとなるよう的確にアドバイスできるカウンセリングツールの提供をその目的とする。
【課題を解決するための手段】
【０００７】
上記の目的を達成するため、本発明は、一端が青色で、赤みが強いほど青色側に位置し、他端が緑色で、黄味が強いほど緑色側に位置するよう設定された直線状の色相座標軸を想定し、その色相座標軸に沿う帯状領域が、赤み系の素肌を示す領域Ａと、黄味系の素肌を示す領域Ｂとに分割されており、上記帯状領域と平行に延びる第２の帯状領域が、上記領域Ａの素肌の色と組み合わせて用いるのに最適な第１の色領域と、上記領域Ａ、領域Ｂのどちらの素肌の色と組み合わせて用いてもよい第２の色領域と、上記領域Ｂの素肌の色と組み合わせて用いるのに最適な第３の色領域とに分割されており、上記３つの色領域内に、互いに色の異なる複数の化粧品の色を示す色表示部が、それぞれの色に応じた配置で並んだ状態で表示されているカウンセリングツールを第１の要旨とする。
【０００８】
また、本発明は、そのなかでも、特に、上記化粧品が、少なくとも、ファンデーション、アイカラー、リップカラー、フェイスカラーの４種類からなり、各化粧品ごとに、上記色相座標軸に平行に並べられているカウンセリングツールを第２の要旨とし、上記化粧品が、ネイルカラーであるカウンセリングツールを第３の要旨とし、上記化粧品が、ヘアカラーであるカウンセリングツールを第４の要旨とする。
【０００９】
さらに、本発明は、上記第１〜第４のいずれかの要旨であるカウンセリングツールの使用方法であって、カウンセリングを受ける顧客の素肌の色が、上記カウンセリングツールの領域Ａ、Ｂのいずれに属するかを特定し、領域Ａに属する場合は、第１および第２の色領域に属する色の化粧品を用いることを推奨し、領域Ｂに属する場合は、第２および第３の色領域に属する色の化粧品を用いることを推奨するカウンセリングツールの使用方法を第５の要旨とする。
【発明の効果】
【００１０】
すなわち、本発明の化粧品カウンセリングツールは、メイクアップ化粧品等の好ましい色の組み合わせを推奨するのに、従来、素肌が赤み系であるか黄み系であるかの２つで分けるか、色相の近いもの同士を組み合わせるという、選択幅の狭い提案しかできなかったのに対して、化粧品の色を、赤み系の素肌の色と組み合わせるのに最適な色群と、黄み系の素肌の色と組み合わせるのに最適な色群と、どちらの色と組み合わせてもよい色群の三つの群に分けて提示したものである。したがって、この化粧品カウンセリングツールによれば、化粧品の色を選択する場合に、色の組み合わせの幅が広がり、色相的には離れた色同士も、バランスよく組み合わせることができるため、より自由度の高い化粧を推奨することができる。
【００１１】
そして、上記化粧品カウンセリングツールの使用方法によれば、顧客に対し、色相的に離れた色同士であっても、バランスのとれた仕上がりとなる組み合わせを一目でわからせることができるため、熟練したカウンセラーでなくても、的確なカウンセリングを簡単に行うことができる。
【発明を実施するための最良の形態】
【００１２】
つぎに、本発明を実施するための最良の形態について説明する。
【００１３】
本発明のカウンセリングツールは、例えば、１枚の剛性シートで構成することができる。図１は、その一例であるカウンセリングツールの表面を示し、図２は、その裏面を示している。
【００１４】
図１において、１は見出し枠で、その上段には、「カラーシステムの考え方」という見出し２が表示されており、下段には、「流行色にとらわれない不変的な美しさを実現する」という、この考え方の目的を示す文３とともに、「肌ベースにあわせた色選び」という項目４と、「色トーンでまとめる色選び」という項目５とが、並べて表示されている。なお、上記項目４は、内側がピンク色に着色された四角枠６で囲われており、上記項目５は、内側が淡い緑色に着色された四角枠７で囲われている。そして、その下には、「カラーシステム」という見出し８が表示されており、内側が黄色に着色された四角枠９で囲われている。
【００１５】
そして、その下には、生まれもった肌の色をベースとして、この肌の色に適した、各メイクアップ化粧品の色を並べて示す一覧表１０が表示されている。
【００１６】
上記一覧表１０の左端に、縦一列で並ぶ各欄には、上から順に、「生まれもった肌色」、「色選びの基準」、「ファンデーション」、「アイライトベース」、「アイカラー」、「リップカラー」、「フェイスカラー」の項目１１〜１７がそれぞれ表示されている。そして、上記一覧表１０の最上段の、左右方向に延びる帯状領域内に、「肌の色（生まれもった）に映えるコーディネート」という見出し１８が表示されている。
【００１７】
そして、その下の、「生まれもった肌色」の項目１１から右方向に延びる帯状領域内が、左右２つに分割されており、左側の領域Ａに、「ブルーベース（赤み、ピンクみの肌）」という文字１９が表示され、右側の領域Ｂに、「イエローベース（黄み系の肌）」という文字２０が表示されている。
【００１８】
なお、上記「赤み、ピンクみの肌」と、「黄み系の肌」の区分は、以下の考え方にもとづく仮想上の色相座標軸に沿って行われている。すなわち、上記色相座標軸とは、「赤」、「青」、「黄」の３原色を円周上に等間隔に配置し、原色間の色相の変化を段階的に表示した色相環を、「青」と「緑」のところで割って得られる直線状の座標軸（図５参照）で、一端が「青色」で他端が「緑色」になっている。したがって、この座標軸では、色相の「赤み」が強いほど青色側（左側）に位置し、色相の「黄み」が強いほど緑色側（右側）に位置するのであり、上記一覧表１０は、左右方向が、この色相座標軸に沿う構成になっている。
【００１９】
つぎに、「色選びの基準」の項目１２から右に延びる帯状領域内は、左右方向に３つに分割されており、、左から順に、「ブルーベース（Ｂ）」、「ニュートラル（Ｎ）」、「イエローベース（Ｙ）」の文字２１〜２３がそれぞれ表示されている。
【００２０】
その下の、「ファンデーション」の項目１３から右に延びる帯状領域内には、メイクアップの下地として肌にするファンデーションの実際の色（９色）を表示する色表示部２４が、上記色相座標軸に沿って、それぞれの色相に応じて列状に並べられている。これにより、色相の赤みが強い色ほど左側に位置し、色相の黄みが強い色ほど右側に位置している。なお、各色表示部２４の下部には、その色記号（カネボウ社規定による）２４ａが付記されている。
【００２１】
その下の、「アイライトベース」の項目１４から右に延びる帯状領域内には、メイクアップにおいて、瞼のくすみを改善し、アイカラーの発色をクリアにするとともに、瞼の乾燥を防ぐために用いられるアイライトベースの実際の色（４色）を表示する色表示部２５が、前記色相座標軸に沿って、それぞれの色相に応じて列状に並べられている。これにより、上記ファンデーションの色表示部２４と同様、色相の赤みが強い色ほど左側に位置し、色相の黄みが強い色ほど右側に位置している。なお、各色表示部２５の下部には、その色を特定するための色番号２５ａが付記されている。
【００２２】
その下の、「アイカラー」の項目１５から右に延びる帯状領域内には、メイクアップにおいて目元をきれいに仕上げるためのアイカラーの実際の色（１０色）を表示する色表示部２６が、前記色相座標軸に沿って、それぞれの色相に応じて列状に並べられている。これにより、上記ファンデーションの色表示部２４等と同様、色相の赤みが強い色ほど左側に位置し、色相の黄みが強い色ほど右側に位置している。なお、各色表示部２６の下部にも、その色を特定するための色番号２６ａが付記されている。
【００２３】
その下の、「リップカラー」の項目１６から右に延びる帯状領域内には、メイクアップにおいて口元をきれいに仕上げるためのリップカラーの実際の色（１７色）を表示する色表示部２７が、前記色相座標軸に沿って、それぞれの色相に応じて列状に並べられている。これにより、上記ファンデーションの色表示部２４等と同様、色相の赤みが強い色ほど左側に位置し、色相の黄みが強い色ほど右側に位置している。なお、各色表示部２７の下部にも、その色を特定するための色番号２７ａが付記されている。
【００２４】
その下の、「フェイスカラー」の項目１７から右に延びる帯状領域内には、メイクアップにおいて顔全体をきれいに仕上げるためのフェイスカラーの実際の色（１３色）を表示する色表示部２８が、前記色相座標軸に沿って、それぞれの色相に応じて列状に並べられている。これにより、上記ファンデーションの色表示部２４等と同様、色相の赤みが強い色ほど左側に位置し、色相の黄みが強い色ほど右側に位置している。なお、各色表示部２８の下部にも、その色を特定するための色番号２８ａが付記されている。
【００２５】
そして、これらの色表示部２４〜２８のうち、上記赤み系の素肌の色と組み合わせて用いるのに最適な色群が、赤色の太線３０で囲われており、その最下端に、「ブルーベース（Ｂ）」の文字３１が表示されている。また、上記赤み系、黄み系、どちらの素肌の色と組み合わせてもよい色群が、緑色の太線３２で囲われており、その最下端に、「ニュートラル（Ｎ）」の文字３３が表示されている。そして、上記黄み系の素肌の色と組み合わせて用いるのに最適な色群が、茶色の太線３４で囲われており、その最下端に、「イエローベース（Ｙ）」の文字３５が表示されている。
【００２６】
また、上記カウンセリングツールの裏面は、図２に示すように、上部に、「色選びのバイブル」という見出し４０が、帯状枠４１に囲われた状態で、大きく表示されており、枠内が、うすい黄土色で着色されている。そして、その下に、「色の性質を生かす効果」という説明書き４２が表示されており、その下に、「１．肌色の３要素」、「２．色選びは・・・」、「３．色の組み合わせ」という３つの項目４３〜４５に分けて、色選びの考え方の説明がなされている。
【００２７】
すなわち、「１．肌色の３要素」の項目４３の下に設けられた帯状枠内には、「肌の色は赤（ヘモグロビン）、黄、茶（メラニン）の３要素からできています。ブルーベースは赤み、ピンクの肌色で、イエローベースは黄み、茶系の肌色です。」という文４６が表示されている。そして、枠内は、うすい緑色で着色されている。
【００２８】
また、「２．色選びは・・・」の項目４４の下に設けられた帯状枠内には、「肌の色と同系色のトーンで選びます。」という文４７が表示されている。そして、この枠内も、うすい緑色で着色されている。
【００２９】
さらに、「３．色の組み合わせ」の項目４５の下に設けられた帯状枠内には、「肌色のベース色と同系色のコーディネートでまとめます。」という文４８が表示されている。そして、この枠内も、うすい緑色で着色されている。
【００３０】
そして、その下には、「応用：好みの色をつけて似合う方法」という見出し５０が表示されており、その下の帯状枠内に、「ファンデーションは肌の色に合わせます。」という文５１が表示されている。また、その下の２つの帯状枠内に、「例：好きな色が肌トーンと違う場合は好きな色トーンでまとめます。（アイ・リップ・フェイスカラー）」という文５２と、「例：アイと口紅の好きな色のトーンがバラバラの場合は強調したい部分の色トーンでまとめます。（アイ・リップ・フェイスカラー）」という文５３とが、それぞれ表示されている。そして、いずれの枠内も、うすい緑色で着色されている。
【００３１】
上記カウンセリングツールを用い、美容部員等は、顧客に対し、例えば、つぎのようにして、メイクアップ化粧品の色の組み合わせについて、カウンセリングを行うことができる。すなわち、まず、顧客の素肌の色が、ブルーベースであるか、イエローベースであるかを特定する。容易に特定しにくい場合は、現在使用しているファンデーションの色記号から、素肌の色を近似的に特定する。そして、素肌の色が、例えばブルーベースであると特定された場合は、その下の、色選びの基準として示されている、ブルーベースに属する色（赤色の太線３０で囲われた領域内の色）か、ニュートラルに属する色（緑色の太線３２で囲われた領域内の色）の範囲内で、各メイクアップ化粧品の色を選択して組み合わせることを推奨する。なお、このとき、ファンデーションの色をブルーベースに属する色から選択した場合は、他のメイクアップ化粧品の色を、ファンデーションと同様、ブルーベースに属する色から選択し、ファンデーションの色をニュートラルに属する色から選択した場合は、他のメイクアップ化粧品の色を、ニュートラルに属する色から選択させることが好適である。
【００３２】
また、素肌の色が、反対に、イエローベースであると特定された場合は、その下の、色選びの基準として示されている、ニュートラルに属する色（緑色の太線３２で囲われた領域内の色）か、イエローベースに属する色（茶色の太線３４で囲われた領域内の色）の範囲内で、各メイクアップ化粧品の色を選択して組み合わせることを推奨する。このときも、他のメイクアップ化粧品の色は、ファンデーションの色が属するグループから選択させることが好適である。
【００３３】
また、顧客によっては、素肌の色を基準とせず、素肌の色がブルーベースに属する色であっても、メイクアップ化粧品として、イエローベースに属する色を使うことを希望する場合もある。その場合は、カウンセリングツールの裏面に表示された文５１〜５３の表示を参考にして、顧客の希望を優先しながらカウンセリングを行う。例えば、アイカラー、リップカラーともにイエローベースの色を希望する顧客に対しては、イエローベースに属する色でまとめることを推奨する。また、アイカラーとしてイエローベースの色を希望し、リップカラーとしてブルーベースの色を希望する顧客に対しては、強調したい方を選択させ、その色のベースでまとめることを推奨する。
【００３４】
このように、上記カウンセリングツールは、メイクアップ化粧品の色を、赤み系の素肌の色と組み合わせるのに最適な色群（ブルーベース）と、黄み系の素肌の色と組み合わせるのに最適な色群（イエローベース）と、どちらの色と組み合わせてもよい色群（ニュートラル）の三つの群に分けて提示しているため、メイクアップ化粧品の色を選択する場合に、色の組み合わせの幅が広がり、色相的には離れた色同士も、バランスよく組み合わせることができる。したがって、より自由度の高い化粧を、何ら手間をかけることなく、短時間で推奨することができ、カウンセリングの効率がよい。そして、顧客も、一目で、その色の組み合わせのよい、悪いがわかるため、納得して色を選択することができる。
【００３５】
また、上記カウンセリングツールは、対面式販売で用いる以外に、セルフ方式においても、これをテスター陳列台近傍等に備えておけば、顧客自身がこれを見ながら、自分に合った、バランスのよい色合いのメイクアップ化粧品を選択することができるという効果を奏する。
【００３６】
なお、上記の例では、カウンセリングツールを一枚の剛性シートで構成したが、必ずしもシートの形態をとる必要はなく、メイクアップ化粧品の種類ごとに、別々のシートもしくはカードにまとめたものや、それらを冊子状に綴じたものであっても差し支えない。また、印刷物に限らず、ＴＶモニターや、ＣＲＴ、液晶モニター等の画像装置、コンピュータ等を利用して表示される画面も、本発明のカウンセリングツールに含まれるものとする。
【００３７】
そして、上記の例では、色表示する化粧品として、ファンデーション、アイライトベース、アイカラー、リップカラー、フェイスカラーの５種類を用意したが、これに限ることなく、適宜の種類を、適宜の数だけ用意することができる。ただし、最適な色の組み合わせを検討し、推奨するものであるから、２種類以上の化粧品の色を組み合わせて提示できるようになっていることが望ましい。なお、素肌の色の特定が困難な場合、すでに述べたように、現在使用しているファンデーションの色で、素肌の色を近似的に特定することができる。したがって、ファンデーションの色表示は、できるだけ設けておくことが好ましい。
【００３８】
また、本発明のカウンセリングツールは、上記の例に示したような、いわゆるメイクアップ化粧品だけでなく、肌との関係において色を選択して用いる、ネイルカラーやヘアカラーといった製品に対しても、適用することができる。したがって、本発明において、「化粧品」には、上記ネイルカラーやヘアカラーも含まれる。
【００３９】
例えば、ネイルカラーの色を提示したカウンセリングツールの例を、図３に示し、ヘアカラーの色を提示したカウンセリングツールの例を、図４に示す。これらの図においても、それぞれの色表示部６０、６１が、ブルーベースに属する色群（赤色の太線３０で囲われた領域内の色）と、ニュートラルに属する色群（緑色の太線３２で囲われた領域内の色）と、イエローベースに属する色群（茶色の太線３４で囲われた領域内の色）の３つに区分されているため、顧客の素肌の色を基準にして、上記の例と同様にして、好ましい色の選択を推奨することができる。
【００４０】
そして、上記の例では、化粧品推奨ツールにおいて、仮想上で設定した色相座標軸に沿って、各色表示部２４等の配列を行ったが、実際に、例えば図５に示すような色相座標軸をツール本体に表示し、この色相座標軸の表示に従って、各色表示部２４等を配列するようにしてもよい。
【図面の簡単な説明】
【００４１】
【図１】本発明の一実施例の部分的な説明図である。
【図２】上記実施例の部分的な説明図である。
【図３】本発明の他の実施例の部分的な説明図である。
【図４】本発明のさらに他の実施例の部分的な説明図である。
【図５】本発明に用いる色相座標軸の説明図である。
【符号の説明】
【００４２】
２４〜２８  色表示部
【図１】
2005074106.tif 000003
【図２】
2005074106.tif 000004
【図３】
2005074106.tif 000005
【図４】
2005074106.tif 000006
【図５】
2005074106.tif 000007